(57)【特許請求の範囲】
【請求項１】
映像を表示する表示部と、音声を出力するスピーカとを備える映像音声再生装置において、
センタ音像処理を行う特定ジャンルを記憶する記憶手段と、
受信されたコンテンツの付加情報に設定されたジャンルを抽出するコンテンツ情報検出手段と、
受信されたコンテンツの付加情報に複数のジャンルが設定されている場合、前記受信されたコンテンツのジャンルを特定するジャンル特定手段と、
前記コンテンツのジャンルが前記記憶手段に記憶されたセンタ音像処理を行う特定ジャンルに相当するか否かを判定する特定ジャンル判定手段と、
前記特定ジャンル判定手段でコンテンツのジャンルが前記センタ音像処理を行う特定ジャンルでないと判定されたときは前記スピーカによって形成される音像の位置を移動させる処理を行わず、前記センタ音像処理を行う特定ジャンルであると判定されたときは前記スピーカによって形成される音像の位置を移動させる処理を行う仮想音源移動手段と、
を備えたことを特徴とする映像音声再生装置。
【請求項２】
前記スピーカとしてセンタスピーカと左右フロントスピーカが備わり、
前記仮想音源移動手段は、
センタスピーカ用音声信号を前記センタスピーカへ出力するとともに、前記センタスピーカ用音声信号を減衰させて前記左右フロントスピーカへ出力することを特徴とする請求項１に記載の映像音声再生装置。
【請求項３】
前記スピーカとしてセンタスピーカと左右フロントスピーカが備わり、
前記仮想音源移動手段は、
センタスピーカ用音声信号を減衰させて前記センタスピーカへ出力するとともに、前記センタスピーカ用音声信号を減衰させて前記左右フロントスピーカへ出力することを特徴とする請求項１に記載の映像音声再生装置。
【請求項４】
前記仮想音源移動手段は、
前記センタスピーカ用音声信号の前記センタスピーカと前記左右フロントスピーカへの出力パワーが合わせて一定になるように減衰して出力することを特徴とする請求項２乃至請求項３のいずれか一項に記載の映像音声再生装置。
【請求項５】
前記仮想音源移動手段は、
仮想スピーカの仮想位置から発せれらた音声が視聴者の左の耳に到達する経路の伝達関数と実際の前記スピーカから発せれらた音声が視聴者の左の耳に到達する経路の伝達関数が等しくなり、また前記仮想スピーカの仮想位置から発せれらた音声が視聴者の右の耳に到達する経路の伝達関数と実際の前記スピーカから発せれらた音声が視聴者の右の耳に到達する経路の伝達関数とが等しくなるように前記スピーカの入力側にデジタルフィルタを備え、前記仮想スピーカの仮想位置が前記表示部に表示された画像の位置に近づくように前記デジタルフィルタの特性を設定することを特徴とする請求項１に記載の映像音声再生装置。
【請求項６】
表示部に映像を表示すると共にスピーカから音声を出力するように構成された映像音声再生装置の音像移動方法において、
センタ音像処理を行う特定ジャンルを記憶手段に記憶し、
受信されたコンテンツの付加情報に設定されたジャンルをコンテンツ情報検出手段で抽出し、
受信されたコンテンツの付加情報に複数のジャンルが設定されている場合、前記受信されたコンテンツのジャンルをジャンル特定手段で特定し、
前記コンテンツのジャンルが前記記憶手段に記憶されたセンタ音像処理を行う特定ジャンルに相当するか否かを特定ジャンル判定手段で判定し、
前記特定ジャンル判定手段でコンテンツのジャンルが前記センタ音像処理を行う特定ジャンルでないと判定されたときは前記スピーカによって形成される音像の位置を移動させる処理を行わず、前記センタ音像処理を行う特定ジャンルであると判定されたときは前記スピーカによって形成される音像の位置を移動させる処理を行う
ことを特徴とする音像移動方法。
【請求項７】
前記スピーカとしてセンタスピーカと左右フロントスピーカが備わり、
センタスピーカ用音声信号を前記センタスピーカへ出力するとともに、前記センタスピーカ用音声信号を減衰させて前記左右フロントスピーカへ出力することを特徴とする請求項６に記載の音像移動方法。
【請求項８】
前記スピーカとしてセンタスピーカと左右フロントスピーカが備わり、
センタスピーカ用音声信号を減衰させて前記センタスピーカへ出力するとともに、前記センタスピーカ用音声信号を減衰させて前記左右フロントスピーカへ出力することを特徴とする請求項６に記載の音像移動方法。
【請求項９】
前記スピーカとしてセンタスピーカと左右フロントスピーカが備わり、
センタスピーカ用音声信号の前記センタスピーカと前記左右フロントスピーカへの出力パワーが合わせて一定になるように減衰して出力することを特徴とする請求項６に記載の音像移動方法。
【請求項１０】
仮想スピーカの仮想位置から発せれらた音声が視聴者の左の耳に到達する経路の伝達関数と実際の前記スピーカから発せれらた音声が視聴者の左の耳に到達する経路の伝達関数が等しく、また前記仮想スピーカの仮想位置から発せれらた音声が視聴者の右の耳に到達する経路の伝達関数と実際の前記スピーカから発せれらた音声が視聴者の右の耳に到達する経路の伝達関数とが等しいデジタルフィルタを前記スピーカの入力側に挿入し、前記仮想スピーカの仮想位置が前記表示部に表示された画像の位置に近づくように前記デジタルフィルタの特性を設定することを特徴とする請求項６に記載の音像移動方法。
【発明の詳細な説明】
【技術分野】
【０００１】
本発明は、映像音声再生装置（テレビジョン受信装置など）に関し、特に実スピーカで生成される音像を移動させ、音像と画像との一致感を高めた映像音声再生装置に関する。
【背景技術】
【０００２】
従来、テレビ局から放送される番組等のコンテンツを映像・音声出力するテレビジョン受信装置において、複数の音声出力モードが設定され、付加情報としてコンテンツに付加されているジャンルに応じて音声出力モードを決定し、決定した音声出力モードで音声出力するものが知られている（例えば、特許文献１参照）。
【特許文献１】特開２００５−９４０７２号公報
【発明の開示】
【発明が解決しようとする課題】
【０００３】
しかしながら、従来技術では、ジャンルに応じて音声出力モードが決定されるものの、ジャンルによってはスピーカの音声により形成される音像の位置と表示装置に表示される画像の位置が一致せず違和感を覚える場合がある。特にニュースなど声中心のソースである場合には、スピーカの音声で形成される音像がアナウンサの顔の位置と一致しないと違和感を覚える場合が多い。
【０００４】
本発明は斯かる問題点に鑑みてなされたものであり、その目的とするところは、特定のジャンルのときは仮想音源を生成し、スピーカの音声で形成される音像と表示装置に表示される画像の一致感を高めることができるテレビジョン受信装置（映像音声再生装置）を提供する点にある。
【課題を解決するための手段】
【０００５】
本発明は上記課題を解決すべく、以下に掲げる構成とした。
本発明の映像音声再生装置は、映像を表示する表示部と、音声を出力するスピーカとを備える映像音声再生装置において、センタ音像処理を行う特定ジャンルを記憶する記憶手段と、受信されたコンテンツの付加情報に設定されたジャンルを抽出するコンテンツ情報検出手段と、受信されたコンテンツの付加情報に複数のジャンルが設定されている場合、前記受信されたコンテンツのジャンルを特定するジャンル特定手段と、前記コンテンツのジャンルが前記記憶手段に記憶されたセンタ音像処理を行う特定ジャンルに相当するか否かを判定する特定ジャンル判定手段と、前記特定ジャンル判定手段でコンテンツのジャンルが前記センタ音像処理を行う特定ジャンルでないと判定されたときは前記スピーカによって形成される音像の位置を移動させる処理を行わず、前記センタ音像処理を行う特定ジャンルであると判定されたときは前記スピーカによって形成される音像の位置を移動させる処理を行う仮想音源移動手段と、を備えたことを特徴とする。
また、本発明の映像音声再生装置は、前記スピーカとしてセンタスピーカと左右フロントスピーカが備わり、前記仮想音源移動手段が、センタスピーカ用音声信号を前記センタスピーカへ出力するとともに、前記センタスピーカ用音声信号を減衰させて前記左右フロントスピーカへ出力することを特徴とする。
また、本発明の映像音声再生装置は、前記スピーカとしてセンタスピーカと左右フロントスピーカが備わり、前記仮想音源移動手段が、センタスピーカ用音声信号を減衰させて前記センタスピーカへ出力するとともに、前記センタスピーカ用音声信号を減衰させて前記左右フロントスピーカへ出力することを特徴とする。
また、本発明の映像音声再生装置は、前記仮想音源移動手段が、前記センタスピーカ用音声信号の前記センタスピーカと前記左右フロントスピーカへの出力パワーが合わせて一定になるように減衰して出力することを特徴とする。
また、本発明の映像音声再生装置は、前記仮想音源移動手段は、仮想スピーカの仮想位置から発せれらた音声が視聴者の左の耳に到達する経路の伝達関数と実際の前記スピーカから発せれらた音声が視聴者の左の耳に到達する経路の伝達関数が等しくなり、また前記仮想スピーカの仮想位置から発せれらた音声が視聴者の右の耳に到達する経路の伝達関数と実際の前記スピーカから発せれらた音声が視聴者の右の耳に到達する経路の伝達関数とが等しくなるように前記スピーカの入力側にデジタルフィルタを備え、前記仮想スピーカの仮想位置が前記表示部に表示された画像の位置に近づくように前記デジタルフィルタの特性を設定することを特徴とする。
また、本発明の音像移動方法は、表示部に映像を表示すると共にスピーカから音声を出力するように構成された映像音声再生装置の音像移動方法において、センタ音像処理を行う特定ジャンルを記憶手段に記憶し、受信されたコンテンツの付加情報に設定されたジャンルをコンテンツ情報検出手段で抽出し、受信されたコンテンツの付加情報に複数のジャンルが設定されている場合、前記受信されたコンテンツのジャンルをジャンル特定手段で特定し、前記コンテンツのジャンルが前記記憶手段に記憶されたセンタ音像処理を行う特定ジャンルに相当するか否かを特定ジャンル判定手段で判定し、前記特定ジャンル判定手段でコンテンツのジャンルが前記センタ音像処理を行う特定ジャンルでないと判定されたときは前記スピーカによって形成される音像の位置を移動させる処理を行わず、前記センタ音像処理を行う特定ジャンルであると判定されたときは前記スピーカによって形成される音像の位置を移動させる処理を行うことを特徴とする。
また、本発明の音像移動方法は、前記スピーカとしてセンタスピーカと左右フロントスピーカが備わり、センタスピーカ用音声信号を前記センタスピーカへ出力するとともに、前記センタスピーカ用音声信号を減衰させて前記左右フロントスピーカへ出力することを特徴とする。
また、本発明の音像移動方法は、前記スピーカとしてセンタスピーカと左右フロントスピーカが備わり、センタスピーカ用音声信号を減衰させて前記センタスピーカへ出力するとともに、前記センタスピーカ用音声信号を減衰させて前記左右フロントスピーカへ出力することを特徴とする。
また、本発明の音像移動方法は、前記スピーカとしてセンタスピーカと左右フロントスピーカが備わり、センタスピーカ用音声信号の前記センタスピーカと前記左右フロントスピーカへの出力パワーが合わせて一定になるように減衰して出力することを特徴とする。
また、本発明の音像移動方法は、仮想スピーカの仮想位置から発せれらた音声が視聴者の左の耳に到達する経路の伝達関数と実際の前記スピーカから発せれらた音声が視聴者の左の耳に到達する経路の伝達関数が等しく、また前記仮想スピーカの仮想位置から発せれらた音声が視聴者の右の耳に到達する経路の伝達関数と実際の前記スピーカから発せれらた音声が視聴者の右の耳に到達する経路の伝達関数とが等しいデジタルフィルタを前記スピーカの入力側に挿入し、前記仮想スピーカの仮想位置が前記表示部に表示された画像の位置に近づくように前記デジタルフィルタの特性を設定することを特徴とする。
【発明の効果】
【０００６】
本発明の映像音声再生装置（テレビジョン受信装置など）は、特定のジャンルのとき仮想音源を生成して音像を移動させることにより、スピーカの音声で形成される音像と表示装置に表示される画像の一致感を高めることができる。
【発明を実施するための最良の形態】
【０００７】
以下、本発明の実施の形態を図面に基づいて詳細に説明する。
【０００８】
図１は、本発明に係るテレビジョン受信装置（映像音声再生装置）の実施の形態の構成を示すブロック図であり、図２は、図１に示すテレビジョン受信装置の正面図であり、図３は、図１に示すチャンネル数変換処理部の機能を説明する説明図であり、図４は、図１に示すメモリに記憶されているジャンル特定テーブル例を示す図であり、図５は、図１に示すメモリに記憶されている音声出力モードテーブル例を示す図である。
【０００９】
本実施の形態のテレビジョン受信装置１は、図１を参照すると、アンテナ２と、チューナ３と、多重化復元部４と、映像復号部５と、音声復号部６と、コンテンツ情報復号部７と、表示部８と、オーディオ制御部９と、システムコントローラ１０と、左右のフロントスピーカ１１Ｌ、１１Ｒと、センタスピーカ１１Ｃと、サブウーファ１１ＳＷと、リモコン受光部１３と、アンプ１４Ｌ、１４Ｒ、１４Ｃ、１４ＳＷと、ボリューム１５と、メモリ１７と、操作部１８を具備している。左右のフロントスピーカ１１Ｌ、１１Ｒと、センタスピーカ１１Ｃと、サブウーファ１１ＳＷの配置は、図２に示すように、左フロントスピーカ１１Ｌ、右フロントスピーカ１１Ｒは表示部８の左右両側にそれぞれ配置されていると共に、センタスピーカ１１Ｃは左右フロントスピーカ１１Ｌ、１１Ｒの略垂直対称軸２１上であって表示部８の下側に配置され、サブウーファ１１ＳＷは表示部８の背面側にそれぞれ配置されている。
【００１０】
チューナ３は、アンテナ２によって受信された放送信号から所望の周波数のチャンネルを選局し、復調処理を行う。なお、アンテナ２によって受信される放送信号は、地上デジタル放送、ＢＳデジタル放送、１１０度ＣＳデジタル放送等であり、チューナ３によって復調される信号は、コンテンツの映像信号と音声信号および当該コンテンツに関する付加情報が時分割複合化された多重化信号として多重化復元部４に出力される。また、コンテンツとは、放送局からの放送信号によって供給される番組に限らず、インターネット等のネットワークを介して得られる番組、ＤＶＤ（Digital Versatile Disc）等の記録媒体から得られる番組を含むものとし、この場合には、ネットワークおよび記録媒体の再生装置からコンテンツの映像信号と音声信号および当該コンテンツに関する付加情報が時分割複合化された多重化信号が多重化復元部４に出力される。
【００１１】
多重化復元部４は、チューナ３（もしくはネットワーク、記録媒体の再生装置）から入力された多重化信号を基に、視聴したい番組の映像信号、音声信号、付加情報を分離し、分離した映像信号を映像復号部５に、分離した音声信号を音声復号部６に、分離した付加情報をコンテンツ情報復号部７にそれぞれ出力する。なお、付加情報は、入力信号に多重されているジャンルコードや、ＥＰＧ（Electronic Programming Guide）等の情報であり、コンテンツのジャンル（「映画」、「ドラマ」、「音楽」、「ドキュメンタリ」、「ニュース」等）が含まれているものとする。
【００１２】
映像復号部５は、多重化復元部４から入力された映像信号を復号化し、復号化された映像信号は、表示部８に表示される。表示部８としては、液晶ディスプレイ、プラズマディスプレイ、ＣＲＴ等の表示手段が用いられる。
【００１３】
音声復号部６は、多重化復元部４から入力された音声信号を復号化し、復号化された音声信号は、オーディオ制御部９によって加工された後、ボリューム１５を介してアンプ１４Ｌ、１４Ｒ、１４Ｃ、１４ＳＷで増幅され、左右のフロントスピーカ１１Ｌ、１１Ｒと、センタスピーカ１１Ｃと、サブウーファ１１ＳＷとから音声出力される。
【００１４】
コンテンツ情報復号部７は、多重化復元部４から入力された付加情報を復号化すると共に、復号化された付加情報からジャンルを抽出し、抽出したジャンルがコンテンツ情報としてシステムコントローラ１０に出力される。なお、同一のコンテンツに複数のジャンルが設定されている場合、すなわち付加情報として同一のコンテンツに複数のジャンルが含まれている場合には、抽出した複数のジャンルがシステムコントローラ１０に出力される。
【００１５】
オーディオ制御部９は、音声復号部６によって復号化された音声信号に加工を施す手段であり、チャンネル数変換処理部９１と、センタ音像処理部（仮想音源移動手段）９２を具備している。
【００１６】
チャンネル数変換処理部９１は、音声復号部６によって復号化された音声信号のチャンネル数を変換する機能を有し、チャンネル数変換処理として、例えば、５．１ｃｈの音声信号を３．１ｃｈ、２ｃｈ、又は１ｃｈに、３．１ｃｈの音声信号を１ｃｈに、２ｃｈの音声信号を１ｃｈにそれぞれ変換するダウンミックス処理、５．１ｃｈの音声信号を３．１ｃｈ又は２ｃｈに変換するバーチャルサラウンド処理、２ｃｈの音声信号を５．１ｃｈ又は３．１ｃｈに変換するマトリクスデコード処理、１ｃｈの音声信号を２ｃｈに変換するステレオ変換処理などが行われる。
【００１７】
センタ音像処理部９２は、音像の位置を変更する機能を有し、センタスピーカ音声成分を左右スピーカ１１Ｌ、１１Ｒからも出力させてセンタスピーカ１１Ｃの位置から表示部８の画像側に音像を移動させるスピーカ位置変更処理などが行われる。
【００１８】
リモコン受光部１３は、リモコン２０からの操作信号（赤外線）を受信し、受信した操作信号をシステムコントローラ１０に出力する。
【００１９】
メモリ１７は、コンテンツ情報復号部７によって抽出されたコンテンツ情報が記憶されると共に、コンテンツに複数のジャンルが設定されている場合に、コンテンツのジャンルを特定するジャンル特定テーブルと、コンテンツのジャンルおよびチャンネル数に応じた音声出力モードが定義されている音声出力モードテーブルがそれぞれ記憶されている。また、後述のセンタ音像処理を行う特定のジャンルが記憶されている。
【００２０】
ジャンル特定テーブルは、図４に示すように、複数のジャンルを組み合わせた登録ジャンルが定義されていると共に、各ジャンルに対して優先順位が定義されている。なお、本実施の形態では、「映画」＋「ドキュメンタリ」の組み合わせが「登録ジャンルＡ」として、「映画」＋「音楽」の組み合わせが「登録ジャンルＢ」としてそれぞれ定義されていると共に、「ドキュメンタリ」、「ドラマ」、「音楽」、「映画」、「ニュース」の順に優先順位が定義されている。
【００２１】
図５は、コンテンツのジャンルおよびチャンネル数に応じた音声出力モードが定義された音声出力モードテーブルであり、チャンネル数変換処理部９１で行われるチャンネル数変換処理と、センタ音像処理部９２で行われるセンタ音像処理とが定義されている。これらチャンネル数変換処理、センタ音像処理は、ジャンル、あるいはジャンルとチャンネル数の組み合わせに応じて実行されるようになっている。但し図５において、チャンネル数変換処理の欄が横線になっている部分は変換処理を行わずそのままのチャンネル数とすることを示しており、またセンタ音像処理の欄で横線になっている部分はセンタ音像処理が行われないことを示している。
【００２２】
操作部１８は、テレビジョン受信装置１における各種操作の実行を指示する入力手段であり、チャンネルの選択指示、ボリュームの調整指示等の入力を行うと共に、メモリ１７に記憶されたジャンル特定テーブルおよび音声出力モードテーブルの新規登録、削除、変更入力を行う。
【００２３】
システムコントローラ１０は、メモリ１７に記憶されているコンテンツ情報およびジャンル特定テーブルに基づいてコンテンツのジャンルを特定すると共に、特定したコンテンツのジャンル、あるいは特定したコンテンツのジャンルとチャンネル数とに基づき音声出力モードテーブルを参照して音声出力モードを決定し、決定した音声出力モードに応じてオーディオ制御部９を制御する。
【００２４】
次に、本実施の形態におけるジャンル特定動作について図６を参照して詳細に説明する。図６は、図１に示すシステムコントローラ１０で行われるジャンル特定動作を説明するためのフローチャートである。
【００２５】
システムコントローラ１０は、映像および音声出力するコンテンツのジャンル特定動作として、まず、メモリ１７に記憶されているコンテンツ情報を参照することで、映像および音声出力するコンテンツに設定されているジャンルを把握し、把握したジャンルがメモリ１７に記憶されているジャンル特定テーブルに定義されているか否かを判断し（ステップＡ１）、ジャンルがジャンル特定テーブルに定義されていない場合（複数のジャンルが設定されている際には、設定されている全てのジャンルが定義されていない場合）には、その他のジャンルとして特定する（ステップＡ２）。
【００２６】
ステップＡ１でジャンルがジャンル特定テーブルに定義されている場合（複数のジャンルが設定されている際には、設定されている全てもしくはいずれかのジャンルが定義されている場合）には、コンテンツに複数のジャンルが設定されているか否かを判断し（ステップＡ３）、コンテンツに複数のジャンルが設定されていない場合には、コンテンツに設定されているジャンルを特定する（ステップＡ４）。
【００２７】
ステップＡ３でコンテンツに複数のジャンルが設定されている場合には、複数のジャンルの組み合わせがジャンル特定テーブルに登録ジャンルとして定義されているか否かを判断し（ステップＡ５）、複数のジャンルの組み合わせがジャンル特定テーブルに登録ジャンルとして定義されている場合には、該当する登録ジャンルを特定し（ステップＡ６）、複数のジャンルの組み合わせがジャンル特定テーブルに登録ジャンルとして定義されていない場合には、複数のジャンルの中で最も優先順位の高いジャンルを特定する（ステップＡ７）。
【００２８】
次に、本実施の形態におけるコンテンツの音声信号が１ｃｈである場合の音声出力モードについて図７を参照して詳細に説明する。
図７は、テレビジョン受信装置１におけるコンテンツの音声信号が１ｃｈである場合の音声出力モードを説明するためのフローチャートである。
【００２９】
システムコントローラ１０は、メモリ１７に記憶されているコンテンツ情報およびジャンル特定テーブルに基づいてコンテンツのジャンルを特定し（ステップＢ１）、特定したジャンルとコンテンツのチャンネル数：１ｃｈとに基づいて音声出力モードテーブルを参照して音声出力モードを決定する（ステップＢ２）。
【００３０】
次に、システムコントローラ１０は、ステップＢ２で決定した音声出力モードにおいて出力チャンネル数が１ｃｈであるか否かを判断し（ステップＢ３）、出力チャンネル数が１ｃｈである場合には、オーディオ制御部９を用いてセンタスピーカ１１Ｃの１ｃｈ分の音声信号を出力させる（ステップＢ４）。この音声出力モードは、コンテンツのジャンルが「ドキュメンタリ」、「ニュース」等の声中心のソースである場合や「映画」、「ドラマ」等の声＋音楽・効果音中心のソースに該当する。１ｃｈの音声信号であり、且つ声中心のソースである場合に、左右のフロントスピーカ１１Ｌ、１１Ｒから出力すると、視聴位置により左右のフロントスピーカ１１Ｌ、１１Ｒからの位相差で周波数により弱め合ったり、強め合ったりして、聞こえにくくなるが、センタスピーカ１１Ｃのみから出力することで、視聴位置がどこであっても明瞭に聞き取ることができる。
【００３１】
ステップＢ３で出力チャンネル数が１ｃｈでない場合には、システムコントローラ１０は、ステップＢ２で決定した音声出力モードの出力チャンネル数が２ｃｈであると判断し、オーディオ制御部９のチャンネル数変換処理部９１によって１ｃｈの音声信号を２ｃｈの音声信号に変換するチャンネル数変換処理を行い（ステップＢ５）、左右のフロントスピーカ１１Ｌ、１１Ｒの２ｃｈ分の音声信号を出力させる（ステップＢ６）。この音声出力モードは、コンテンツのジャンルが「音楽」等の音楽中心のソースである場合に該当する。また、左右のフロントスピーカ１１Ｌ、１１Ｒから出力する場合には、使わないチャンネルのアンプ１４Ｃ、１４ＳＷは電力を使わないようにすると良い。なお、ステップＢ５でのチャンネル数変換処理としては、１ｃｈの音声信号をそのまま左右に割り当てて２ｃｈに変換しても良く、また、１ｃｈの音声信号をステレオ変換処理によって２ｃｈに変換しても良い。
【００３２】
次にステップＢ７、ステップＢ８のセンタ音像処理に関するステップに進む。このステップＢ７、Ｂ８はセンタ音像処理部９２で実行される。
【００３３】
ステップＢ８のセンタ音像処理とは、実スピーカであるセンタスピーカ１１Ｃの位置を仮想的に移動させ、表示部８に表示された画像の位置とセンタスピーカ用音声信号を基に生成される音像（仮想音源）の位置を一致させる処理である。センタ音像処理の方法として、センタスピーカ用音声信号をセンタスピーカ１１Ｃと左右フロントスピーカ１１Ｌ、１１Ｒに振り分けて出力する方法（以下第１のセンタ音像処理という）、音声信号を頭部伝達関数を模擬したフィルタに通すことにより仮想スピーカを生成する方法（以下第２のセンタ音像処理という）などが考えられる。以下、この２つの方法を使ってセンタ音像処理を行う場合について説明する。なお、本発明はこの２つの方法に限定されない。要するに音声信号を基にセンタスピーカ１１Ｃの位置を仮想的に移動させ、画像の位置と音像の位置を一致させるようにする方法であればよい。
【００３４】
ステップＢ７は、ステップＢ１で判定されたジャンルがセンタ音像処理を行う特定ジャンルに相当するかチェックする工程である。センタ音像処理を行う特定ジャンルは予めメモリ１７に記憶されている。「映画」「ドラマ」「ニュース」「ジャンルＡ」などのとき、センタ音像処理を行うと効果的であるので、これらをメモリ１７に登録すればよい。ジャンルが音質を重視する「音楽」のときには、音質を劣化させないためセンタ音像処理を行わないようにする。また、ドキュメンタリのように映像と音声の一致の必要性が少ないと判断されるものはセンタ音像処理を行なわないようにしてもよい。なお、操作部１８を使ってこの特定ジャンルの登録変更ができるようにしておけば、視聴者の好みに合わせることができて好都合である。
【００３５】
ステップＢ７において、上記特定ジャンルに相当しないと判定されたときはセンタ音像処理を行わないで処理を終了する。
【００３６】
ステップＢ７において、上記特定ジャンルに相当すると判定されたときはステップＢ８のセンタ音像処理を行う。
【００３７】
＜ステップＢ８を第１のセンタ音像処理で行う場合＞
【００３８】
ステップＢ８では、ステップＢ４においてセンタスピーカ用として出力された音声信号を、センタスピーカ１１Ｃと左右のフロントスピーカ１１Ｌ、１１Ｒに所定の割合で振り分けて出力する第１のセンタ音像処理が行われる。ステップＢ８の処理が実行されることによりセンタスピーカ用として出力された音声信号が左右のフロントスピーカ１１Ｌ、１１Ｒからも出力され、センタスピーカ１１Ｃで形成される音像がセンタスピーカ１１Ｃのみで出力する場合に比べて表示部の画像側に移動する。これは左右のフロントスピーカ１１Ｌ、１１Ｒの音声の効果により音像が移動するためである。更に、本実施の形態のようにテレビジョン受像機に適用されたときは、表示部８に表示された映像を視聴者が眼で見ることにより、音声を発している画像の位置に音像が一致するよう心理的な効果が作用し、更なる音像の一致感が得られる。
【００３９】
図８、図９はセンタ音像処理部９２の音声信号の振り分け処理を概念的に示したものである。９３〜９５は増幅部を、９６、９７は音声信号の加算部を示している。その他図１と同一符号は同一構成要素を示している。
【００４０】
図８はステップＢ４においてセンタスピーカ用に出力された音声信号Ｃをセンタスピーカ１１Ｃからそのままボリューム１５へ出力すると共に、増幅部９３、９４で−１２ｄｂだけ減衰させた（０．０６３１倍に減衰させた）音声信号を加算部９６、９７で左右のフロントスピーカの音声信号Ｌ、Ｒに加算し、左フロントスピーカ用音声信号Ｌ’、右フロントスピーカ用音声信号Ｒ’としてボリューム１５へ出力する場合を示している。サブウーハー用の音声信号ＳＷはそのまま出力される。なお、上記ではセンタスピーカ用に出力された音声信号Ｃを増幅部９３、９４で−１２ｄｂだけ減衰させ左右のフロントスピーカの音声信号Ｌ、Ｒに加算するようにしたが、これは一例であり、−９ｄＢ乃至−１５ｄＢに減衰させて左右のフロントスピーカの音声信号Ｌ、Ｒに加算するようにすれば本発明によるセンタ音像処理の効果が得られる。
【００４１】
図９はステップＢ４においてセンタスピーカ用に出力された音声信号Ｃを−０．６ｄｂだけ減衰させて（０．８７１倍に減衰させて）センタスピーカから音声信号Ｃ’としてボリューム１５へ出力すると共に、−１２ｄｂだけ減衰させた（０．０６３１倍に減衰させた）音声信号を左右のフロントスピーカの音声信号Ｌ，Ｒに加算し、左フロントスピーカ用音声信号Ｌ’、右フロントスピーカ用音声信号Ｒ’としてボリューム１５へ出力する場合を示している。
【００４２】
図９の場合は、センタスピーカ用に−０．６ｄｂ、左右のフロントスピーカにそれぞれ−１２ｄｂだけ減衰させた音声信号を割り振っているので、トータルの出力パワーを一定にすることができる。また、図８の場合はトータルの出力パワーが一定ではないが、簡単な構成で実施できる。なお、図９の場合もセンタスピーカ用に出力された音声信号Ｃを増幅部９３、９４で−１２ｄｂだけ減衰させ左右のフロントスピーカの音声信号Ｌ、Ｒに加算するようにしたが、これは一例であり、−９ｄＢ乃至−１５ｄＢに減衰させて左右のフロントスピーカの音声信号Ｌ、Ｒに加算するようにすれば本発明によるセンタ音像処理の効果が得られる。また、センタスピーカ用に出力された音声信号Ｃを−０．６ｄｂだけ減衰させてセンタスピーカ用音声信号Ｃ’として出力するようにしたが、これも一例であり、−１．３ｄＢ乃至−０．３ｄＢに減衰させてセンタスピーカ用音声信号Ｃ’として出力するようにすれば本発明によるセンタ音像処理の効果が得られる。
【００４３】
＜ステップＢ８を第２のセンタ音像処理で行う場合＞
【００４４】
ステップＢ７において、上記特定ジャンルに相当すると判定されたときはステップＢ８で上記第２のセンタ音像処理を行う。第２のセンタ音像処理を実現するため、仮想センタスピーカの仮想位置から発せれらた音声が視聴者の左の耳に到達する経路の伝達関数（一般に頭部伝達関数といわれる）と実際のセンタスピーカから発せれらた音声が視聴者の左の耳に到達する経路の頭部伝達関数が等しくなり、また上記仮想センタスピーカの仮想位置から発せれらた音声が視聴者の右の耳に到達する経路の伝達関数（一般に頭部伝達関数といわれる）と実際のセンタスピーカから発せれらた音声が視聴者の右の耳に到達する経路の頭部伝達関数とが等しくなるように、センタスピーカ１１Ｃの入力側にデジタルフィルタとしてＦＩＲフィルタが設けられる。そして、仮想センタスピーカの仮想位置が表示部８に表示された画像の位置に近づくようにＦＩＲフィルタの特性を設定する。このＦＩＲフィルタの設計に関しては、例えば特開平２−２９６４９９号公報、特開平５−２０７５９７号公報などで提案されている発明を利用することができる。上記仮想センタスピーカの仮想位置が表示部８の画像位置に来るように上記ＦＩＲフィルタを設計することにより、センタスピーカで生成される音像の位置と画像の位置を一致させることができる。上記ＦＩＲフィルタはセンタ音像処理部９２に設けられる。
【００４５】
第２のセンタ音像処理で仮想スピーカを作り出す場合の実スピーカシステムは、センタスピーカ１１Ｃのみ（１ｃｈ）でもよく、センタスピーカ１１Ｃと左右フロントスピーカ１１Ｌ、１１Ｒの３つ（３ｃｈ）でもよく、センタスピーカ１１Ｃと左右フロントスピーカ１１Ｌ、１１Ｒと左右リヤスピーカの５つ（５ｃｈ）でもよく、更にサブウーハ１１ＳＷが加わったもの（３．１ｃｈ、５．１ｃｈなど）でも良い。更にその他のスピーカの組み合わせも考えられる。この場合、左右フロントスピーカ１１Ｌ、１１Ｒは図２に示したような表示部８の左側中央部、右側中央部ではなく、下側（例えば表示部８の左右下隅）あるいは上側（例えば表示部８の左右上隅）にずれている場合に第２のセンタ音像処理の効果が大きい。また、左右フロントスピーカ１１Ｌ、１１Ｒは図２に示したような表示部８の左側中央部、右側中央部ではなく、下側（例えば表示部８の左右下隅）あるいは上側（例えば表示部８の左右上隅）にずれている場合には、左右フロントスピーカ１１Ｌ、１１Ｒに対して、同様の処理を行うことにより、左右フロントスピーカから出力される音声に対しても同様の効果を得ることができる。この場合には、センタスピーカ１１Ｃを有してなくてもよい。
【００４６】
次に、本実施の形態におけるコンテンツの音声信号が２ｃｈである場合の音声出力モードについて図１０を参照して詳細に説明する。
【００４７】
図１０は、テレビジョン受信装置１におけるコンテンツの音声信号が２ｃｈである場合の音声出力モードを説明するためのフローチャートである。
【００４８】
システムコントローラ１０は、メモリ１７に記憶されているコンテンツ情報およびジャンル特定テーブルに基づいてコンテンツのジャンルを特定し（ステップＣ１）、特定したジャンルとコンテンツのチャンネル数：２ｃｈとに基づいて音声出力モードテーブルを参照して音声出力モードを決定する（ステップＣ２）。
【００４９】
次に、システムコントローラ１０は、ステップＣ２で決定した音声出力モードにおいて出力チャンネル数が１ｃｈであるか否かを判断し（ステップＣ３）、出力チャンネル数が１ｃｈである場合には、オーディオ制御部９のチャンネル数変換処理部９１によって２ｃｈの音声信号を１ｃｈの音声信号に変換するチャンネル数変換処理を行い（ステップＣ４）、センタスピーカ１１Ｃの１ｃｈ分の音声信号を出力させる（ステップＣ５）。この音声出力モードは、コンテンツのジャンルが「ドキュメンタリ」、「ニュース」等の声中心のソースである場合に該当する。なお、ステップＣ４でのチャンネル数変換処理としては、２ｃｈの音声信号をダウンミックス処理によって１ｃｈに変換する。
【００５０】
ステップＣ３で出力チャンネル数が１ｃｈでない場合には、システムコントローラ１０は、ステップＣ２で決定した音声出力モードにおいて出力チャンネル数が２ｃｈであるか否かを判断し（ステップＣ６）、出力チャンネル数が２ｃｈである場合には、オーディオ制御部９を用いて左右のフロントスピーカ１１Ｌ、１１Ｒの２ｃｈ分の音声信号を出力させる（ステップＣ７）。この音声出力モードは、コンテンツのジャンルが「音楽」等の音楽中心のソースである場合に該当する。２ｃｈの音声信号であり、且つ音楽中心のソースである場合に、フロントスピーカ１１Ｌ、１１Ｒと共にセンタスピーカ１１Ｃにモノラル成分が出力されると、音声がずれて聞こえてきたり重なったりして聞こえにくくなると共に、本実施の形態のようにセンタスピーカ１１Ｃの高さが左右のフロントスピーカ１１Ｌ、１１Ｒと違ったり、また、スピーカ特性がセンタスピーカ１１Ｃと左右のフロントスピーカ１１Ｌ、１１Ｒとで異なったりすると、センタスピーカ１１Ｃを使用しない方が臨場感のある音楽を楽しむことができる。また、左右のフロントスピーカ１１Ｌ、１１Ｒから出力する場合には、使わないチャンネルのアンプ１４Ｃ、１４ＳＷは電力を使わないようにすると良い。さらに、サブウーファ１１ＳＷとの成分わけを行って２．１ｃｈに変換しても良い。
【００５１】
ステップＣ６で出力チャンネル数が２ｃｈでない場合には、システムコントローラ１０は、ステップＣ２で決定した音声出力モードにおいて出力チャンネル数が３．１ｃｈであると判断し、オーディオ制御部９のチャンネル数変換処理部９１によって２ｃｈの音声信号を３．１ｃｈの音声信号に変換するチャンネル数変換処理を行い（ステップＣ８）、左右のフロントスピーカ１１Ｌ、１１Ｒ、センタスピーカ１１Ｃ、サブウーファ１１ＳＷの３．１ｃｈ分の音声信号を出力させる（ステップＣ９）。この音声出力モードは、コンテンツのジャンルが「映画」、「ドラマ」等の声＋音楽・効果音中心のソースである場合に該当する。ステップＣ８でのチャンネル数変換処理としては、２ｃｈの音声信号をマトリクスデコード処理によって３．１ｃｈ又は５．１ｃｈに変換した後、５．１ｃｈに変換した場合は、５．１ｃｈに変換された音声信号をフロント側の３．１ｃｈを用いるようにしても良く、また、５．１ｃｈに変換された音声信号をダウンミックス処理もしくはバーチャルサラウンド処理によって３．１ｃｈに変換しても良い。さらに、２ｃｈの音声信号を３ｃｈに変換した後、サブウーファ１１ＳＷとの成分わけを行って３．１ｃｈに変換しても良い。また、サブウーファはなくてもよく、この場合は３．１ｃｈでなく３ｃｈとなる。
【００５２】
次にステップＣ１０、ステップＣ１１のセンタ音像処理に関するステップに進む。このステップＣ１０、Ｃ１１はセンタ音像処理部９２で実行される。ステップＣ１１のセンタ音像処理は、ステップＢ８のセンタ音像処理と同様に、上記第１のセンタ音像処理、あるいは上記第２のセンタ音像処理などとして実行することができる。
【００５３】
ステップＣ１０は、ステップＣ１で判定されたジャンルがセンタ音像処理を行う特定ジャンルに相当するかチェックする工程である。センタ音像処理を行う特定ジャンルは予めメモリ１７に記憶されている。
【００５４】
ステップＣ１０において、上記特定ジャンルに相当しないと判定されたときはセンタ音像処理を行わないで処理を終了する。この場合、センタスピーカ用音声信号はセンタスピーカ１１Ｃのみから出力される。
【００５５】
ステップＣ１０において、上記特定ジャンルに相当すると判定されたときはステップＣ１１のセンタ音像処理を行う。
【００５６】
このセンタ音像処理は、上記ステップＢ８で述べたのと同様に第１あるいは第２のセンタ音像処理などで行うことができ、同様の作用、効果を奏する。
【００５７】
次に、本実施の形態におけるコンテンツの音声信号が５．１ｃｈである場合の音声出力モードについて図１１を参照して詳細に説明する。
【００５８】
図１１は、テレビジョン受信装置１におけるコンテンツの音声信号が５．１ｃｈである場合の音声出力モードを説明するためのフローチャートである。
【００５９】
システムコントローラ１０は、メモリ１７に記憶されているコンテンツ情報およびジャンル特定テーブルに基づいてコンテンツのジャンルを特定し（ステップＤ１）、特定したジャンルとコンテンツのチャンネル数：５．１ｃｈとに基づいて音声出力モードテーブルを参照して音声出力モードを決定する（ステップＤ２）。
【００６０】
次に、システムコントローラ１０は、ステップＤ２で決定した音声出力モードにおいて出力チャンネル数が１ｃｈであるか否かを判断し（ステップＤ３）、出力チャンネル数が１ｃｈである場合には、オーディオ制御部９のチャンネル数変換処理部９１によって５．１ｃｈの音声信号を１ｃｈの音声信号に変換するチャンネル数変換処理を行い（ステップＤ４）、センタスピーカ１１Ｃの１ｃｈ分の音声信号を出力させる（ステップＤ５）。この音声出力モードは、コンテンツのジャンルが「ドキュメンタリ」、「ニュース」等の声中心のソースである場合に該当する。なお、ステップＤ４でのチャンネル数変換処理としては、５．１ｈの音声信号をダウンミックス処理によって１ｃｈに変換しても良く、また、５．１ｈの音声信号をバーチャルサラウンド処理によって２ｃｈもしくは３．１ｃｈに変換した後、ダウンミックス処理によって１ｃｈに変換しても良い。
【００６１】
ステップＤ３で出力チャンネル数が１ｃｈでない場合には、システムコントローラ１０は、ステップＤ２で決定した音声出力モードにおいて出力チャンネル数が２ｃｈであるか否かを判断し（ステップＤ６）、出力チャンネル数が２ｃｈである場合には、オーディオ制御部９のチャンネル数変換処理部９１によって５．１ｃｈの音声信号を２ｃｈの音声信号に変換するチャンネル数変換処理を行い（ステップＤ７）、オーディオ制御部９を用いて左右のフロントスピーカ１１Ｌ、１１Ｒの２ｃｈ分の音声信号を左右のフロントスピーカ１１Ｌ、１１Ｒから出力させる（ステップＤ８）。この音声出力モードは、コンテンツのジャンルが「音楽」等の音楽中心のソースである場合に該当する。また、左右のフロントスピーカ１１Ｌ、１１Ｒから出力する場合には、使わないチャンネルのアンプ１４Ｃ、１４ＳＷは電力を使わないようにすると良い。なお、ステップＤ７でのチャンネル数変換処理としては、５．１ｈの音声信号をダウンミックス処理もしくはバーチャルサラウンド処理によって２ｃｈに変換すると良い。さらに、サブウーファ１１ＳＷとの成分わけを行って２．１ｃｈに変換しても良い。
【００６２】
ステップＤ６で出力チャンネル数が２ｃｈでない場合には、システムコントローラ１０は、ステップＤ２で決定した音声出力モードにおいて出力チャンネル数が３．１ｃｈであると判断し、オーディオ制御部９のチャンネル数変換処理部９１によって５．１ｃｈの音声信号を３．１ｃｈの音声信号に変換するチャンネル数変換処理を行う（ステップＤ９）。なお、ステップＤ９でのチャンネル数変換処理としては、５．１ｈの音声信号をダウンミックス処理もしくはバーチャルサラウンド処理によって３．１ｃｈに変換すると良い。また、サブウーファ１１ＳＷはなくてもよく、この場合は３．１ｃｈでなく３ｃｈとなる。
【００６３】
ステップＤ１０でシステムコントローラ１０は、左右のフロントスピーカ１１Ｌ、１１Ｒ、センタスピーカ１１Ｃ、サブウーファ１１ＳＷの３．１ｃｈ分の音声信号を出力させる（ステップＤ１１）。この音声出力モードは、コンテンツのジャンルが「映画」、「ドラマ」等の声＋音楽・効果音中心のソースである場合に該当する。
【００６４】
以上の説明で、本実施の形態のテレビジョン受信装置１は３．１ｃｈで構成したが、後方に新たに２ｃｈのスピーカを追加し、５．１ｃｈの構成としてもよい。この場合、ステップＤ６で出力チャンネル数が２ｃｈでない場合は、出力チャンネル数を５．１ｃｈであるとしてオーディオ制御部９のチャンネル数変換処理部９１は何も変換処理を行わないようにしてもよい（ステップＤ９）。このように構成されたものでは、後方に新たに追加された２ｃｈのスピーカにも信号が出力されるので、さらにサラウンド感が高められる。
【００６５】
次にステップＤ１１、ステップＤ１２のセンタ音像処理に関するステップに進む。このステップＤ１１、Ｄ１２はセンタ音像処理部９２で実行される。ステップＤ１２のセンタ音像処理は、ステップＢ８のセンタ音像処理と同様に、上記第１のセンタ音像処理、あるいは上記第２のセンタ音像処理などとして実行することができる。
【００６６】
ステップＤ１１は、ステップＤ１で判定されたジャンルがセンタ音像処理を行う特定ジャンルに相当するかチェックする工程である。センタ音像処理を行う特定ジャンルは予めメモリ１７に記憶されている。
【００６７】
ステップＤ１１において、上記特定ジャンルに相当しないと判定されたときはセンタ音像処理を行わないで処理を終了する。この場合、センタスピーカ用音声信号はセンタスピーカ１１Ｃのみから出力される。
【００６８】
ステップＤ１１において、上記特定ジャンルに相当すると判定されたときはステップＤ１２のセンタ音像処理を行う。
【００６９】
このセンタ音像処理は、上記ステップＢ８、Ｃ１１で述べたのと同様に第１あるいは第２のセンタ音像処理などで行うことができ、同様の作用、効果を奏する。
【００７０】
以上の説明で、本実施の形態では、図５において、コンテンツのジャンルおよびチャンネル数から音声出力モードを決定しているが、ジャンルだけ、もしくは、チャンネル数のみから決定してもよい。例えば、図５において、ジャンルが「音楽」の場合には出力チャンネル数を２ｃｈに変換し、ジャンルが「ドキュメンタリ」、あるいは「ニュース」の場合には１ｃｈに変換するというように、コンテンツのジャンルが特定のジャンルであった場合に、そのジャンルに対応して出力チャンネル数を決定するようにできる。センタ音像処理のＯＮ、ＯＦＦ処理もジャンルに対応して決定するようにできる。また、コンテンツのチャンネル数から出力チャンネル数を決定する場合に、例えば音声出力モードテーブルの他の例として図１２に示したように、入力されたチャンネル数に対応して出力チャンネル数を変換することができる。図１２に示した例は、第１のセンタ音像処理ができるように、入力されたチャンネル数に対応してセンタスピーカ用音声信号が出力される出力チャンネル数に変換している。図１２の例では、コンテンツのチャンネル数が１ｃｈの場合は変換を行わず、２ｃｈの場合には３．１ｃｈに変換し、５．１ｃｈの場合には３．１ｃｈに変換するようにしている。
【００７１】
また、以上の説明で、本実施の形態のテレビジョン受信装置１では、サブウーファ１１ＳＷを設け、３．１ｃｈに対応できるように構成したが、必ずしもサブウーファ１１ＳＷを設ける必要はなく、サブウーファ１１ＳＷを設けない場合には、チャンネル数変換処理部９１によって、３．１ｃｈの代わりに３ｃｈにチャンネル数を変換させるようにすると良い。この場合、サブウーファの出力成分は、他のスピーカに分配して出力してもいいし、出力しなくてもよい。同様に２．１ｃｈ出力は、２ｃｈ出力となる。
【００７２】
また、以上の説明では、センタスピーカ１１Ｃは左右フロントスピーカ１１Ｌ、１１Ｒの略垂直対称軸２１上であって表示部８の下側に配置されているとしたが、左右フロントスピーカ１１Ｌ、１１Ｒの略垂直対称軸２１上であって表示部８の上側に配置されていても同様に実施することができる。
【００７３】
また、以上の説明では、チャンネル数変換処理部は、図５に示したようにジャンルとチャンネル数に応じてチャンネル数の変換処理を行うように説明したが、ジャンルのみ、又はとチャンネル数のみに対応するチャンネル数変換処理を図５に代わる音声出力モードテーブルとして設けて、ジャンルのみ、あるいはチャンネル数のみに応じてチャンネル数の変換処理を行うようにしてもよい。
【００７４】
なお、本発明が上記各実施の形態に限定されず、本発明の技術思想の範囲内において、各実施の形態は適宜変更され得ることは明らかである。また、上記構成部材の数、位置、形状等は上記実施の形態に限定されず、本発明を実施する上で好適な数、位置、形状等にすることができる。
【産業上の利用可能性】
【００７５】
本発明は、テレビジョン受信装置に限らず、映像表示装置と音声出力装置を備えた映像音声再生装置に利用できる。
【図面の簡単な説明】
【００７６】
【図１】本発明に係るテレビジョン受信装置の実施の形態の構成を示すブロック図である。
【図２】図１に示すテレビジョン受信装置の正面図である。
【図３】図１に示すチャンネル数変換処理部の機能を説明する説明図ある。
【図４】図１に示すメモリに記憶されているジャンル特定テーブル例を示す図である。
【図５】図１に示すメモリに記憶されている音声出力モードテーブル例を示す図である。
【図６】図１に示すシステムコントローラで行われるジャンル特定動作を説明するためのフローチャートである。
【図７】本発明に係るテレビジョン受信装置の実施の形態におけるコンテンツの音声信号が１ｃｈである場合の音声出力モードを説明するためのフローチャートである。
【図８】本発明に係るテレビジョン受信装置の実施の形態におけるセンタ音像処理部の音声信号の振り分け処理を示す概念図である。
【図９】本発明に係るテレビジョン受信装置の実施の形態におけるセンタ音像処理部の音声信号のその他の振り分け処理を示す概念図である。
【図１０】本発明に係るテレビジョン受信装置の実施の形態におけるコンテンツの音声信号が２ｃｈである場合の音声出力モードを説明するためのフローチャートである。
【図１１】本発明に係るテレビジョン受信装置の実施の形態における音声信号が５．１ｃｈである場合の音声出力モード決定動作を説明するためのフローチャートである。
【図１２】図１に示すメモリに記憶されている音声出力モードテーブルの他の例を示す図である。
【符号の説明】
【００７７】
１・・・テレビジョン受信装置（映像音声再生装置）
２・・・アンテナ
３・・・チューナ
４・・・多重化復元部
５・・・映像復号部
６・・・音声復号部
７・・・コンテンツ情報復号部
８・・・表示部
９・・・オーディオ制御部
１０・・・システムコントローラ
１１Ｌ・・・左のフロントスピーカ
１１Ｒ・・・右のフロントスピーカ
１１Ｃ・・・センタスピーカ
１１ＳＷ・・・サブウーハ
１３・・・リモコン受光部
１４Ｌ、１４Ｒ、１４Ｃ、１４ＳＷ・・・アンプ
１５・・・ボリューム
１７・・・メモリ（記憶手段）
１８・・・操作部
２０・・・リモコン
２１・・・垂直対称軸
９１・・・チャンネル数変換処理部
９２・・・センタ音像処理部（仮想音源移動手段）
９３、９４、９５・・・増幅部
９６、９７・・・加算部
【図１】
0004713398.tif 000002
【図２】
0004713398.tif 000003
【図３】
0004713398.tif 000004
【図４】
0004713398.tif 000005
【図５】
0004713398.tif 000006
【図６】
0004713398.tif 000007
【図７】
0004713398.tif 000008
【図８】
0004713398.tif 000009
【図９】
0004713398.tif 000010
【図１０】
0004713398.tif 000011
【図１１】
0004713398.tif 000012
【図１２】
0004713398.tif 000013